(57)【要約】      （修正有）【課題】従来の楊枝入れを改良し片手で楊枝が容易に取り出せる楊枝入れ容器を提供する。【解決手段】ベース１２の上部に透明性を有する円形外ケース９を自立し、その内壁に内ケース３と一体物に形成された楊枝収納部８が自立しその内部に一体物に形成された摺動密着する形で楊枝収納部８を設け一体物に形成されたツマミ１をつまみ上げると下部に有するシリンダー６も上がり吸気口７が開放され抵抗なく楊枝収納部８も上がり楊枝５が放射状に外側に開くため楊枝の取り出しは容易である。【選択図】図１
2011200619.tif 000002
【特許請求の範囲】
【請求項１】
楊枝を入れる容器においてエアーダンパー機構を具備することを特徴とする楊枝入れ容器。
【請求項２】
前記エアーダンパー機構は、直径が約３ミリメートルの吸排気口を設けたベースに固定した外ケースと、下部に楊枝収納部を具備し該楊枝収納部の内側下部に少なくも２個以上の吸気口を設けた円筒状内ケースと、上部にツマミを取り付けた支軸を固定したシリンダーと、該シリンダーが内ケースの楊枝収納部が外ケース内壁に摺動する構造からなることを特徴とする請求項１に記載の楊枝入れ容器。
【発明の詳細な説明】
【技術分野】
【０００１】      本発明は楊枝が片手で取れ自由に出し入れ出来る楊枝入れ容器に関する物である。
【背景技術】
【０００２】      従来使用されている楊枝入れは蓋に楊枝一本分の穴が開いており、楊枝入れ容器を逆さまにして振って、穴から出た楊枝を一本取出すものである。また、容器を逆さまにしないでも楊枝を取り出せる考案は特許文献１に出願されている。
【先行技術文献】
【特許文献】
【特許文献１】登録実用新案第３０８０８９５号広報
【０００３】
【発明の概要】
【発明が解決しようとする課題】
【０００４】  従来の蓋体に取出し穴を設けた楊枝入れは、楊枝１本が通る程度の小さい穴があり、楊枝入れを逆さ、あるいは斜めにして１回振っただけでは容易に楊枝の頭が露出しない場合が多く、１本の楊枝を取出すために、楊枝入れを何度も何度も繰り返して激しく振らないとならないという煩わしさがあった。【０００５】    特許文献１の容器は、楊枝を取出す時に蓋を持ち上げながら楊枝を取出した後、蓋が完全に閉まるまで押し下げる必要があり、途中で手を放すと蓋が完全に閉まらない時もある。【０００６】    本発明は、上記問題点を解決し、衛生的で取り扱いの容易な楊枝入れ容器を提供することを目的とする。
【課題を解決するための手段】
【０００７】    上記課題を解決するために本発明の楊枝入れ容器は、エアーダンパー機構を具備することを特徴とする。また、本発明の楊枝入れ容器のエアーダンパー機構は、直径が約３ミリメートルの吸排気口を設けたベースに固定した外ケースと、下部に楊枝収納部を具備し該楊枝収納部の内側下部に少なくも２個以上の吸気口を設けた円筒状内ケースと、上部にツマミを取り付けた支軸を固定したシリンダーと、該シリンダーが内ケースの楊枝収納部が外ケース内壁に摺動する構造からなることを特徴とする。
【発明の効果】
【０００８】    本発明の楊枝入れ容器は、ツマミを持ち上げるとエアーダンパー機構によりゆっくり下がるため楊枝を必要数取り出すことが出来る。また飲食店などで使用する場合には、外ケースの外周にメニューや広告などの情報を発信することや楊枝のみならず、小物や綿棒入れ等に使用出来る。外ケースを透明部材にすれば、容器収納部内の楊枝の有無が目視できるため補充の目安が確認できる。
【図面の簡単な説明】
【０００９】
【図１】  本発明の楊枝入れ容器の説明図
【発明を実施するための形態】
【００１０】    以下本発明の実施の１例にもとづき、実施するための形態を図面に参照しつつ、詳細に説明する。
【実施例】
【００１１】    本発明の実施例として、請求項１のエアーダンパー機構が、請求項２に記載した機構の場合を具体的に説明する。
本発明の実施の一例は図１にその断面を示すように、大きく分けると外ケース９と内ケース３及びシリンダー６とで構成されている。外ケース９は内径が約４０ミリメートルで肉厚が約２ミリメートルのアクリル樹脂パイプを約７０ミリメートルに切断し、その底部に直径が約４５ミリメートルで厚みが約１０ミリメートルの真鍮丸棒を加工したベース１２に圧入固定した。またベース１２には直径が約３ミリメートルの貫通穴の吸排気口１１を設けた。【００１２】    また図に示すように、内ケース３は外径約２０ミリメートルで長さが約７０ミリメートルアクリル樹脂の中心に約８ミリメートルの貫通穴を設け、下部には内径約１３ミリメートルで深さ約２６ミリメートルのシリンダー部を切削加工し、下部には約３ミリメートルの吸気口７を４ヶ所の穴を開けた。また、下部に固定する楊枝収納部８は、ポリプロピレン樹脂でその外径は外ケース９の内径４０ミリメートルより約０．１ミリメートル程度小さくし、長さは楊枝の約二分の一程度の長さとして、底部に約７ミリメートルの内ケース吸排気口１０を設け、シリンダー部との嵌合部分を設けて、楊枝収納部８の下部に圧入固定して一体化した内ケース３とした。【００１３】    シリンダー６は真鍮の丸棒を加工し、外径は内ケース３のシリンダー部の内径約１３ミリメートルより約０．０５ミリメートル小さく削り出し長さを約１９ミリメートルとした。シリンダー６の上部には外径約６ミリメートル長さ約６５ミリメートルの真鍮の支軸４を圧入固定し、他端の上部には約１０ミリメートルの円形のツマミ１を組み立て後に固定できる構造にした。【００１４】    このような構造からなる本発明の楊枝入れ容器は、ツマミ１を持ち上げるとシリンダー６がシリンダー部が内ケース３全体を持ち上げるので、楊枝を簡単に取り出すことができる。
楊枝を取って、手を放すとツマミ１が蓋２の上部に当り同時にシリンダー部の下部にある吸気口７をシリンダー６が塞ぐので、外ケース９内の空気は吸排気口１１から徐々に出るので、エアーダンパー機構で楊枝５は楊枝入れ容器に収められる。
ゆっくり降下し楊枝５が放射状になる楊枝入れ容器である。【００１５】    収納時外ケース９上部開口縁部と蓋２の接点と蓋２上部とツマミ１の下部接点は互いに約４５程度の面を取ってあるので、気密性よく収納できる。
【符号の説明】
【００１６】１  ツマミ
２  蓋
３  内ケース
４  支軸
５  楊枝
６  シリンダー
７  吸気口
８  楊枝収納部
９  外ケース
１０  内ケース吸排気口
１１  吸排気口
１２  ベース
【図１】
2011200619.tif 000003
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
エアーダンパー機構を具備する楊枝を入れる容器において、該エアーダンパー機構は、直径が約３ミリメートルの吸排気口を設けたベースに固定した外ケースと、内ケース下部に楊枝収納部を具備し該楊枝収納部の下部少なくも１個の吸排気口を有し、円筒状内ケースのその下部側面に少なくも２個の吸気口を具備し、上部にツマミを取り付けた支軸を固定したシリンダーと、該シリンダーが内ケースの内壁に摺動する構造と、楊枝収納部の外壁が外ケースの内壁に摺動する構造からなることを特徴とする楊枝入れ容器。
【手続補正２】
【補正対象書類名】明細書
【補正対象項目名】０００７
【補正方法】変更
【補正の内容】
【０００７】  上記課題を解決するために本発明の楊枝入れ容器は、エアーダンパー機構を具備する楊枝を入れる容器において、該エアーダンパー機構は、直径が約３ミリメートルの吸排気口を設けたベースに固定した外ケースと、内ケース下部に楊枝収納部を具備し該楊枝収納部の下部少なくも１個の吸排気口を有し、円筒状内ケースのその下部側面に少なくも２個の吸気口を具備し、上部にツマミを取り付けた支軸を固定したシリンダーと、該シリンダーが内ケースの内壁に摺動する構造と、楊枝収納部の外壁が外ケースの内壁に摺動する構造からなることを特徴とする